(57)【要約】【課題】デッキ材の中空部を閉塞し、外気、雨水、埃及び虫などの中空部への侵入を確実に防ぐとともに小口の美観を損なわないようにすることができるデッキ材用小口キャップを提供する。【解決手段】天板部２０と、天板部２０に平行配置された底板部２１との間に形成されている中空部２２と、中空部２２の開口部２３が形成されている側面部２４とを備えるデッキ材２の開口部２３を閉塞するデッキ材用小口キャップにおいて、側面部２４と対向する当接面１００を有するフランジ１０と、当接面１００から突き出て、開口部２３を介して中空部２２に嵌り込む嵌合部１１と、嵌合部１１と開口部２３との間を水密にする止水部材１２とを備える。【選択図】図５
2012077459.tif 000002
【特許請求の範囲】
【請求項１】
天板部と、該天板部に平行配置された底板部との間に形成されている中空部と、該中空部の開口部が形成されている側面部とを備えるデッキ材の前記開口部を閉塞するデッキ材用小口キャップにおいて、
前記側面部と対向する当接面を有するフランジ部と、
前記当接面から突き出て、前記開口部を介して前記中空部に嵌り込む嵌合部と、
該嵌合部と前記開口部との間を水密にする止水部材と
を備えることを特徴とするデッキ材用小口キャップ。
【発明の詳細な説明】
【技術分野】
【０００１】
本発明は、デッキ材が備える中空部の開口を閉塞するデッキ材用小口キャップに関する。
【背景技術】
【０００２】
従来、デッキ材は、テラス及び屋上などの床材として用いられ、軽量化と材料コストの軽減とを図るため、長手方向に沿って中空部が形成され、この中空部の開口部がデッキ材の横断面（以下「小口」という。）に形成されている。また、中空部の開口部は、中空部への雨水や埃の侵入を防ぐとともに小口を装飾するため、小口キャップにより塞がれるようになっている。
【０００３】
ところで、従来の小口キャップは、デッキ材の撓みなどにより変形しやすく、小口との間に隙間が生じるおそれがあり、外気や雨水が浸透して排水されることなく中空部内に留まり、中空部内に水苔を生じさせたり、湿気がこもる状態が続くことでデッキ材本体を劣化させるおそれがある。
【０００４】
そこで、従来、中空部内に溜まる外気や雨水を排水する水抜き孔を備えた小口キャップが提案された（例えば、特許文献１）。
【先行技術文献】
【特許文献】
【０００５】
【特許文献１】特開２００９−９１７１７号公報
【発明の概要】
【発明が解決しようとする課題】
【０００６】
しかしながら、先に提案された小口キャップにあっては、水抜き孔の開口がデッキ材の小口の美観を損ね、埃や虫の侵入を許すおそれがある。そのため、先に提案された小口キャップは、中空部への雨水や埃の侵入を防ぐとともに、小口を装飾するという本来の機能を確実に果たすことができていない。
【０００７】
本発明は、かかる事情を鑑みてなされたものであり、天板部と、天板部に平行配置された底板部との間に形成されている中空部と、中空部の開口部が形成されている側面部とを備えるデッキ材の開口部を閉塞するデッキ材用小口キャップにおいて、側面部と対向する当接面を有するフランジ部と、当接面から突き出て、開口部を介して中空部に嵌り込む嵌合部と、嵌合部と開口部との間を水密にする止水部材とを備えることにより、デッキ材の中空部を閉塞し、外気、雨水、埃及び虫などの中空部への侵入を確実に防ぐとともに小口の美観を損なわないようにすることができるデッキ材用小口キャップを提供することを目的とする。
【課題を解決するための手段】
【０００８】
本発明に係るデッキ材用小口キャップは、天板部と、該天板部に平行配置された底板部との間に形成されている中空部と、該中空部の開口部が形成されている側面部とを備えるデッキ材の前記開口部を閉塞するデッキ材用小口キャップにおいて、前記側面部と対向する当接面を有するフランジ部と、前記当接面から突き出て、前記開口部を介して前記中空部に嵌り込む嵌合部と、該嵌合部と前記開口部との間を水密にする止水部材とを備えることを特徴とする。
【０００９】
本発明にあっては、デッキ材の側面部と対向する当接面から嵌合部が突き出ることにより、この当接面をデッキ材の側面部に接触させることで嵌合部が側面部に形成された開口部を介して中空部に嵌り込み、開口部が塞がる。また、止水部材を備えることにより、嵌合部と開口部との間が水密となり、外気や雨水が浸透するおそれがなくなる。更にまた、小口キャップに水抜き孔が形成されていないことにより、埃や虫が侵入するおそれがなく、小口の美観が損なわれることもない。
【００１０】
また、本発明に係るデッキ材用小口キャップは、前記止水部材は、前記嵌合部の外周面に取り付けられ、前記嵌合部が嵌り込むことにより前記中空部の内周壁を押圧するように構成してもよい。その結果、嵌合部と開口部との間の水密が確実となる。
【００１１】
また、本発明に係るデッキ材用小口キャップは、前記止水部材は、前記嵌合部の先端寄りの厚みより基端寄りの厚みの方が厚くなるように形成される構成であってもよい。その結果、嵌合部が中空部に抵抗なく嵌り込み、続けて嵌合部の外周面に取り付けられた止水部材が徐々に中空部の内周壁を押し付け、最終的に嵌合部と開口部との間の水密が確実となる。
【００１２】
また、本発明に係るデッキ材用小口キャップは、前記止水部材は、前記中空部の内周壁との摩擦が高くなるように該内周壁との接触面に凹凸部が形成されるように構成してもよい。その結果、中空部に嵌り込んだ嵌合部の嵌り込みが緩まることがない。
【００１３】
また、本発明に係るデッキ材用小口キャップは、前記止水部材は、可撓性を有するように内部が中空にされるように構成してもよい。その結果、小口キャップの装着後、デッキ材の撓みにより止水部材に無理な力がかかるようになってもこれを中空空間が吸収し、止水部材を含む嵌合部とデッキ材との間に隙間が生じない。
【００１４】
また、本発明に係るデッキ材用小口キャップは、前記側面部にリブで仕切られるように複数形成されている開口部を閉塞する場合、前記嵌合部は、複数の前記開口部のいずれかに対向する位置から突き出るように形成される構成であってもよい。その結果、複数の開口部を有するデッキ材についても水密を確実にする。
【発明の効果】
【００１５】
本発明にあっては、デッキ材の中空部を閉塞し、小口キャップに水抜き孔などを設けることなく、外気、雨水、埃及び虫などの中空部への侵入を確実に防ぐことができ、デッキ材本体の品質の低下を防ぐことができる。また、デッキ材の小口の美観が損なわれないように一定の意匠性を保つことができる。
【図面の簡単な説明】
【００１６】
【図１】本発明に係るデッキ材用小口キャップの構成を示す平面図である。
【図２】本発明に係るデッキ材用小口キャップの構成を示す正面図である。
【図３】本発明に係るデッキ材用小口キャップの構成を示す右側面図である。
【図４】本発明に係るデッキ材用小口キャップをデッキ材に装着する状態を示す平面図である。
【図５】本発明に係るデッキ材用小口キャップをデッキ材に装着する状態を示す右側面図である。
【図６】本発明に係るデッキ材用小口キャップをデッキ材の側面部に装着した状態を示す図である。
【図７】図１乃至図６とは異なる、デッキ材用小口キャップが備える止水部材の一例を示す右側面図であり、（ａ）は嵌合部の先端寄りの厚みより基端寄りの厚みの方が厚くなるように形成されている止水部材の一例を示す図、（ｂ）は中空部の内周壁との接触面に凹凸が形成されている止水部材の一例を示す図、（ｃ）は内部が中空にされている止水部材の一例を示す図である。
【発明を実施するための形態】
【００１７】
実施の形態１．
本発明に係るデッキ材用小口キャップについて、実施の形態を示す図に基づいて以下説明する。図１乃至図５において、１は、小口キャップである。小口キャップ１は、フランジ１０と、嵌合部１１と、止水部材１２とを備える。
【００１８】
フランジ１０は、アクリロニトリル・スチレン・アクリレート樹脂（ＡＳＡ樹脂）又はアクリロニトリル・エチレン−プロピレン−ジエン・スチレン樹脂（ＡＥＳ樹脂）などの合成樹脂により形成されている。また、フランジ１０は、正面視横長方形状の薄板であり、後述するデッキ材２への装着時に、デッキ材２の側面部２４と対向する当接面１００と、当接面１００の裏面となる装飾面１０１とを備える。装飾面１０１は、装飾のない無地であるか、デッキ材２の外面に合わせた意匠となるように装飾されている。
【００１９】
なお、本実施の形態にあって、正面とは当接面１００であり、背面とは装飾面１０１であり、右側面とは正面視右側の面であり、左側面とは正面視左側の面であり、平面とは上を向いた面であり、下面とは下を向いた面である。
【００２０】
嵌合部１１は、フランジ１０と同様に合成樹脂により形成されている。また、嵌合部１１は、フランジ１０の当接面１００から正面に向かって略四角柱状に突き出し、突き出した先端寄りの部分が先端に向かって僅かなテーパとなるように形成されている。また、嵌合部１１は、当接面１００から複数突き出ている。複数の嵌合部１１は、後述するデッキ材２の側面部２４に開口する複数の開口部２３のいずれかを介して中空部２２に嵌り込むよう、所定の位置から突き出ている。また、複数の嵌合部１１は、垂直方向の切断面積（以下同じ。）がそれぞれ異なっており、中央付近から突き出ている嵌合部１１の切断面積より両側付近から突き出ている嵌合部１１の切断面積の方が大きくなるように形成されている。
【００２１】
止水部材１２は、エチレン−プロピレン−ジエンゴム（ＥＰＤＭ）により形成されている。また、止水部材１２は、嵌合部１１の外周面を囲むように取り付けられ、嵌合部１１の径方向に厚みを有する。この厚みは、嵌合部１１の先端寄りの厚みより基端寄りの厚みの方が厚くなるように、且つ、先端側から基端側に向けて徐々に厚みが増すように形成されている。なお、この厚みにより、止水部材１２を含む嵌合部１１の切断面積は、先端寄りの切断面積が開口部２３の開口面積より僅かに小さく、基端寄りの切断面積が開口部２３の開口面積より僅かに大きくなっている。
【００２２】
図４乃至図６において、２は、デッキ材である。デッキ材２は、軽量及び耐候性並びに錆や腐食に強いことが考慮され、硬質塩化ビニルにより形成されている。デッキ材２は、天板部２０と、底板部２１と、中空部２２と、開口部２３と、側面部２４と、脚部２５と、連結雌部２６と、連結雄部２７とを備える。
【００２３】
天板部２０は、平面視略矩形状に形成され、その表面が耐候性に優れた高耐候樹脂によりコーティングされている。また、天板部２０と平行する位置には、底板部２１が形成されている。底板部２１は、その表面が高耐候樹脂によりコーティングされている。
【００２４】
また、天板部２０と底板部２１との間には、軽量化及び材料コストの軽減が考慮された中空部２２が形成されている。中空部２２は、デッキ材２の長手方向に沿って貫通しており、その内部がデッキ材２の長手方向に沿って立ち上がる中空リブ２２０により仕切られ、断面視略四角形状の中空孔が複数形成されている。
【００２５】
また、側面部２４は、デッキ材２の短手辺から垂れ下がる側面であってデッキ材２の小口に該当し、図６に示すよう、開口部２３の開口縁が中空部２２の内周壁２２１に連なるように形成されている。また、側面部２４には、開口部２３が中空リブ２２０で仕切られるようにして複数開口している。複数の開口部２３は、それぞれの開口面積が異なっており、中央付近に開口する開口部２３の開口面積より両側付近に開口する開口部２３の開口面積の方が大きくなるように形成されている。
【００２６】
脚部２５は、底板部２１から下方に複数突き出ている。脚部２５は、デッキ材２がテラスや屋上の床面に敷かれた場合、この床面とデッキ材２との間に隙間ができるようにしてデッキ材を支える。
【００２７】
連結雌部２６は、いずれか一方の側面部２４とこれに隣接する長手辺から垂れ下がる側面との計２面から、水平方向に突き出ている。連結雌部２６は、デッキ材２がテラスや屋上の床面に複数敷かれた場合、隣接するデッキ材２の連結雄部２７が嵌り込む。
【００２８】
連結雄部２７は、連結雌部２６が設けられた側面以外の計２つの側面から水平方向に突き出て、デッキ材２がテラスや屋上の床面に複数敷かれた場合に隣接するデッキ材２の連結雌部２６に嵌り込む。
【００２９】
このように、小口キャップ１及びデッキ材２は、複数の要素により構成されている。以下、小口キャップ１をデッキ材２に装着する方法について説明する。
【００３０】
小口キャップ１は、図４乃至図６に示すよう、フランジ１０の装飾面１０１が外側を向くとともにフランジ１０の当接面１００がデッキ材２の側面部２４と向かい合わせとなるように配置され、且つ、各嵌合部１１が対応するデッキ材２の側面部２４の開口部２３と向き合う位置に配置される。そして、小口キャップ１は、当接面１００がデッキ材２の側面部２４に接近するに応じて、嵌合部１１の先端部分が開口部２３に嵌り込み、次に嵌合部１１が先端部分のテーパにより案内されながら抵抗なく開口部２３を介して中空部２２に嵌り込んでいく。小口キャップ１は、止水部材１２が中空部２２の内周壁２２１を徐々に押し付けていき、嵌合部１１と開口部２３との水密を高めていく。そして、小口キャップ１は、当接面１００がデッキ材２の側面部２４に到達したとき、止水部材１２を含む嵌合部１１が開口部２３を介して中空部２２に完全に嵌り込み、嵌合部１１と開口部２３とを水密に塞ぐ。
【００３１】
本発明に係るデッキ材用小口キャップは、以上のようにデッキ材２に装着されることにより、以下の作用を奏する。止水部材１２は、先端寄りの部分が先端に向かって僅かなテーパとなるように形成されている。その結果、止水部材１２を含む嵌合部１１が、開口部２３に抵抗なく嵌り込む。
【００３２】
また、複数の嵌合部１１は、後述するデッキ材２の側面部２４に開口する複数の開口部２３のいずれかを介して中空部２２に嵌り込むよう、所定の位置から突き出ている。その結果、後述するような複数の開口部２３を有するデッキ材２についても水密を確実にする。
【００３３】
また、止水部材１２を含む嵌合部１１は、先端寄りの切断面積が開口部２３の開口面積より僅かに小さく、基端寄りの切断面積が開口部２３の開口面積より僅かに大きくなっている。その結果、嵌合部１１が中空部２２に抵抗なく嵌り込み、続いて止水部材１２が中空部２２の内周壁２２１を徐々に押し付け、最終的に嵌合部１１と開口部２３との間の水密が確実となる。
【００３４】
また、中空部２２は、デッキ材２の長手方向に沿って貫通しており、その内部がデッキ材２の長手方向に沿って立ち上がる中空リブ２２０により仕切られ、断面視略四角形状の中空孔が複数形成されている。その結果、デッキ材２は、軽量化と材料コストの軽減とが図られるとともに、中空リブ２２０によりデッキ材２の撓みが極力抑えられ、強度が確保される。また、装着された小口キャップ１に極力無理な力がかかることがない。
【００３５】
実施の形態２.
上述した実施の形態１において、止水部材１２は、その厚みが嵌合部１１の先端寄りから基端寄りに向けて徐々に厚みが増すように形成されている一例を説明した。しかし、本発明は、これに限定されるものでなく、例えば、図７（ａ）に示すよう、止水部材１２の厚みが先端寄りから中間付近まで徐々に厚みが増し、この中間付近から基端まで同じ厚みとなるように形成される構成であってもよい。
【００３６】
また、止水部材１２は、図７（ｂ）に示すよう、中空部２２の内周壁２２１と接触する外周面に凹凸部１２０が形成される構成であってもよい。その結果、装着後、嵌合部１１の中空部２２への嵌り込みが甘くなることがない。
【００３７】
更にまた、止水部材１２は、図７（ｃ）に示すよう、内部に中空空間１２１が形成される構成であってもよい。その結果、小口キャップ１の装着後、デッキ材２の撓みにより止水部材１２に無理な力がかかる場合であっても、これを中空空間１２１で吸収し、止水部材１２を含む嵌合部１１が中空部２２から抜け落ちることがない。
【００３８】
また、上述した実施の形態において、止水部材１２は、エチレン−プロピレン−ジエンゴム（ＥＰＤＭ）により形成されている一例を説明した。しかし、本発明は、これに限定されるものでなく、例えば、ニトリルゴム、ウレタンゴム、シリコンゴム、クロロプレンゴム、天然ゴム又は軟質塩化ビニルなどの素材により形成する構成であってもよい。
【符号の説明】
【００３９】
１  小口キャップ
１０  フランジ
１００  当接面
１０１  装飾面
１１  嵌合部
１２  止水部材
２  デッキ材
２０  天板部
２１  底板部
２２  中空部
２２０  中空リブ
２２１  内周壁
２３  開口部
２４  側面部
【図１】
2012077459.tif 000003
【図２】
2012077459.tif 000004
【図３】
2012077459.tif 000005
【図４】
2012077459.tif 000006
【図５】
2012077459.tif 000007
【図６】
2012077459.tif 000008
【図７】
2012077459.tif 000009